(57)【要約】【課題】走行する印刷物の検出した測色値から別の測色値に換算する方法及び装置に関し、印刷資材条件や印刷条件の変更に対して検出した測色値から別の測色値への換算を高精度に行なうことができるようにする。【解決手段】印刷機を走行する印刷物を第１の測色計によって計測し第１の測色値を得ると共に、前記印刷物の特定箇所を第２の測色計によって計測し第２の測色値を得て、予め設定された、第１の測色計及び第２の測色計を用いて同じ色を計測したときの測色値の対応関係と、計測された第１の測色値及び第２の測色値とから、走行する印刷物を第１の測色計によって計測して得た第１の測色値の計測値を第２の測色計によって計測した場合の第２の測色値に換算する。【選択図】図１
2010281730.tif 000002
【特許請求の範囲】
【請求項１】
印刷機を走行する印刷物を第１の測色計によって計測し第１の測色値を得ると共に、前記印刷物の特定箇所を第２の測色計によって計測し第２の測色値を得る計測ステップと、
予め設定された、前記第１の測色計及び前記第２の測色計を用いて同じ色を計測したときの測色値の対応関係と、前記計測ステップにより前記印刷物の前記特定箇所について計測された前記第１の測色値及び前記第２の測色値とを用いて、走行する前記印刷物を前記第１の測色計によって計測して得た前記第１の測色値の計測値を、前記第２の測色計によって計測した場合の前記第２の測色値に換算する換算ステップと、を備える
ことを特徴とする、走行する印刷物の測色値換算方法。
【請求項２】
前記換算ステップでは、前記第１の測色値を前記第２の測色値に換算する場合の補正量を求め、前記対応関係と前記補正量とを用いて前記換算を行なう
ことを特徴とする、請求項１記載の走行する印刷物の測色値換算方法。
【請求項３】
前記換算ステップでは、前記対応関係を用いて、前記計測ステップにより前記印刷物の前記特定箇所について計測された前記第１の測色値及び前記第２の測色値から、前記補正量を求める
ことを特徴とする、請求項２記載の走行する印刷物の測色値換算方法。
【請求項４】
前記補正量が所定の範囲を超える場合は、前記補正量により前記対応関係を修正するステップを更に備え、
前記対応関係修正ステップにより前記対応関係が修正されると、前記換算ステップでは、修正された前記対応関係を用いる
ことを特徴とする、請求項２又は３記載の走行する印刷物の色値換算方法。
【請求項５】
前記対応関係は、前記第１の測色計により計測される前記第１の測色値と前記第２の測色計により計測される前記第２の測色値とを対応させた対応テーブルであって、
前記換算ステップでは、前記対応テーブルにおける前記第１の測色値の計測値と前記第２の測色値の計測値との何れか一方の値の近傍領域について、前記対応テーブルにおける前記第１の測色値に対する前記第１の測色値の計測値の変化分と前記対応テーブルにおける前記第２の測色値に対する前記第２の測色値の計測値の変化分とを対応させた変化分対応テーブルを求め、該変化分対応テーブルの何れかの変化分を前記補正量とする
ことを特徴とする、請求項１〜４の何れか１項に記載の走行する印刷物の測色値換算方法。
【請求項６】
前記近傍領域とは、前記一方の値に対して予め設定した一定の色空間距離範囲内の領域である
ことを特徴とする、請求項５記載の走行する印刷物の測色値換算方法。
【請求項７】
前記近傍領域とは、前記対応テーブルにおいて前記一方の値に対して最も色空間距離の近い値から順に所定個数の値の範囲内の領域である
ことを特徴とする、請求項５記載の走行する印刷物の測色値換算方法。
【請求項８】
前記第２の測色値は色座標値である
ことを特徴とする、請求項１〜７の何れか１項に記載の走行する印刷物の測色値換算方法。
【請求項９】
前記対応関係は、前記印刷機により色再現範囲を網羅した多数の色を印刷して、これらの多数の印刷色のそれぞれを前記第１の測色値を計測しうる第１の測色計により計測すると共に前記第２の測色値を計測しうる第２の測色計により計測して、これらの多数の計測値の対応から取得されたものであって、
前記計測ステップで用いる前記第１の測色計と前記対応関係の取得の際に用いる前記第１の測色計とが、同一の測色計、別の測色計であるが同一の検出特性の測色計、別の測色計であり別の検出特性であるが両者の検出特性の対応関係が既知である測色計、の何れかであると共に、
前記計測ステップで用いる前記第２の測色計と前記対応関係の取得の際に用いる前記第２の測色計とが、同一の測色計、別の測色計であるが同一の検出特性の測色計、別の測色計であり別の検出特性であるが両者の検出特性の対応関係が既知である測色計、の何れかである
ことを特徴とする、請求項１〜８の何れか１項に記載の走行する印刷物の測色値換算方法。
【請求項１０】
前記第１の測色計は、前記印刷機に設置されて印刷中に各印刷色を計測するオンラインセンサであって、
前記第２の測色計は、前記印刷機外で印刷色を計測するオフラインセンサである
ことを特徴とする、請求項１〜９のいずれか１項に記載の走行する印刷物の測色値換算方法。
【請求項１１】
前記第１の測色値は、赤（Ｒ），緑（Ｇ），青（Ｂ）の３色のＲＧＢ濃度値、又は、赤（Ｒ），緑（Ｇ），青（Ｂ），赤外（Ｉ）の４色のＲＧＢＩ濃度値で与えられ、
前記第１の測色計は、赤（Ｒ），緑（Ｇ），青（Ｂ）の３色の濃度値を検出するＲＧＢ濃度計、又は、赤（Ｒ），緑（Ｇ），青（Ｂ），赤外（Ｉ）の４色の濃度値を検出するＲＧＢＩ濃度計である
ことを特徴とする、請求項１〜１０のいずれか１項に記載の走行する印刷物の測色値換算方法。
【請求項１２】
前記換算ステップは、印刷製品とする通常印刷用絵柄を印刷する通常印刷時に実施し、
前記計測ステップでは、前記換算ステップと同様の前記通常印刷用絵柄を印刷して前記計測値を取得する
ことを特徴とする、請求項１〜１１のいずれか１項に記載の走行する印刷物の測色値換算方法。
【請求項１３】
前記計測ステップは、印刷条件が変更されると実施する
ことを特徴とする、請求項１２記載の走行する印刷物の測色値換算方法。
【請求項１４】
前記印刷条件とは、印刷に使用する用紙又はインキを含む印刷資材条件、或いは印刷絵柄である
ことを特徴とする、請求項１〜１３の何れか１項に記載の走行する印刷物の測色値換算方法。
【請求項１５】
請求項１〜１４の何れか１項に記載の方法を用いて、前記印刷機により印刷を行ないながら前記換算ステップを実施し、前記第１の測色値の計測値を前記第２の測色値に換算して、前記印刷機による印刷を制御する方法であって、
前記換算した前記第２の測色値を予め設定された前記の第２の測色値の目標値と比較する比較ステップと、
前記比較ステップにより、前記換算した第２の測色値と前記目標値との色差が予め設定された許容値を超えたと判定されたら、前記色差が減少する方向にインキ供給量を調整する調整信号を出力する調整ステップと、をそなえている
ことを特徴とする、印刷制御方法。
【請求項１６】
請求項１〜１４の何れか１項に記載の方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷を制御する方法であって、
前記換算した前記第２の測色値を予め前記非画線部について設定された前記の第２の測色値の目標値と比較する比較ステップと、
前記比較ステップにより、前記換算した第２の測色値と前記目標値との色差が予め設定された許容値を超えたと判定されたら、インキ汚れが発生していると判定しインキ汚れが減少するように湿し水量を調整する調整ステップと、をそなえている
ことを特徴とする、印刷制御方法。
【請求項１７】
請求項１〜１４の何れか１項に記載の方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷状態を判定する方法であって、
前記換算した前記第２の測色値を予め前記非画線部について設定された前記の第２の測色値の目標値と比較する比較ステップと、
前記比較ステップにより、前記換算した第２の測色値と前記目標値との色差が予め設定された許容値を超えたと判定されたら、印刷不良と判定する判定ステップと、をそなえている
ことを特徴とする、印刷状態判定方法。
【請求項１８】
請求項１〜１４の何れか１項に記載の方法を用いて、前記印刷機により印刷を行ないながら前記換算ステップを実施し、前記第１の測色値の計測値を前記第２の測色値に換算して、前記印刷機による印刷を制御する装置であって、
前記換算した前記第２の測色値を予め設定された前記の第２の測色値の目標値と比較する比較手段と、
前記比較手段により、前記換算した第２の測色値と前記目標値との色差が予め設定された許容値を超えたと判定されたら、前記測色値の差が減少する方向にインキ供給量を調整する調整手段と、をそなえている
ことを特徴とする、印刷制御装置。
【請求項１９】
請求項１〜１４の何れか１項に記載の方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷を制御する装置であって、
前記換算した前記第２の測色値を予め前記非画線部について設定された前記の第２の測色値の目標値と比較する比較手段と、
前記比較手段により、前記換算した第２の測色値と前記目標値との色差が予め設定された許容値を超えたと判定されたら、インキ汚れが発生していると判定しインキ汚れが減少するように湿し水量を調整する調整手段と、をそなえている
ことを特徴とする、印刷制御装置。
【請求項２０】
請求項１〜１４の何れか１項に記載の方法を用いて、印刷に係る非画線部を前記特定箇所として前記印刷機により印刷を行ないながら前記換算ステップを実施し、前記第１の測色値の計測値を前記第２の測色値に換算して、前記所定印刷機による印刷状態を判定する装置であって、
前記換算した前記第２の測色値を予め前記非画線部について設定された前記の第２の測色値の目標値と比較する比較手段と、
前記比較手段により、前記換算した第２の測色値と前記目標値との色差が予め設定された許容値を超えたと判定されたら、印刷不良と判定する判定手段と、をそなえている
ことを特徴とする、印刷状態判定装置。
【請求項２１】
印刷機を走行する印刷物を計測し第１の測色値を得る第１の測色計と、
前記印刷物の特定箇所を計測し第２の測色値を得る第２の測色計と、
前記第１の測色計及び前記第２の測色計を用いて同じ色を計測したときの測色値の対応関係を記憶した記憶手段と、
前記記憶手段に記憶された前記対応関係と、前記印刷物の前記特定箇所について前記第１の測色計により計測された前記第１の測色値及び前記第２の測色計により計測された前記第２の測色値とを用いて、前記走行する前記印刷物を前記第１の測色計によって計測して得た前記第１の測色値の計測値を、前記第２の測色計によって計測した場合の前記第２の測色値に換算する換算手段と、を備える
ことを特徴とする、走行する印刷物の測色値換算装置。
【請求項２２】
前記換算手段は、前記第１の測色値を前記第２の測色値に換算する場合の補正量を求め、前記対応関係と前記補正量とを用いて前記換算を行なう
ことを特徴とする、請求項２１記載の走行する印刷物の測色値換算装置。
【請求項２３】
前記換算手段は、前記対応関係を用いて、前記第１の測色計及び前記第２の測色計により前記印刷物の前記特定箇所について計測された前記第１の測色値及び前記第２の測色値から、前記補正量を求める
ことを特徴とする、請求項２２記載の走行する印刷物の測色値換算装置。
【請求項２４】
前記記憶手段に記憶された前記対応関係は、前記第１の測色計により計測される前記第１の測色値と前記第２の測色計により計測される前記第２の測色値とを対応させた対応テーブルであって、
前記換算手段は、前記対応テーブルにおける前記第１の測色値の計測値と前記第２の測色値の計測値との何れか一方の値の近傍領域について、前記対応テーブルにおける前記第１の測色値に対する前記第１の測色値の計測値の変化分と前記対応テーブルにおける前記第２の測色値に対する前記第２の測色値の計測値の変化分とを対応させた変化分対応テーブルを求め、該変化分対応テーブルの何れかの変化分を前記補正量とする
ことを特徴とする、請求項２３記載の走行する印刷物の測色値換算装置。
【請求項２５】
前記近傍領域とは、前記一方の値に対して予め設定した一定の色空間距離範囲内の領域である
ことを特徴とする、請求項２４記載の走行する印刷物の測色値換算装置。
【請求項２６】
前記近傍領域とは前記、対応テーブルにおいて前記一方の値に対して最も色空間距離の近い値から順に所定個数の値の範囲内の領域である
ことを特徴とする、請求項２４記載の走行する印刷物の測色値換算装置。
【請求項２７】
前記記憶手段に記憶された前記対応関係は、前記印刷機により色再現範囲を網羅した多数の色を印刷して、これらの多数の印刷色のそれぞれを前記第１の測色値を計測しうる第１の測色計により計測すると共に前記第２の測色値を計測しうる第２の測色計により計測して、これらの多数の計測値の対応から前記対応関係を取得したものであって、
前記換算手段による前記補正量の算出に用いる前記第１の測色計と前記対応関係の取得に用いた前記第１の測色計とが、同一の測色計、別の測色計であるが同一の検出特性の測色計、別の測色計であり別の検出特性であるが両者の検出特性の対応関係が既知である測色計、の何れかであると共に、
前記換算手段による前記補正量の算出に用いる前記第２の測色計と前記対応関係の取得に用いた前記第２の測色計とが、同一のセンサ、別のセンサであるが同一の検出特性のセンサ、別のセンサであり別の検出特性であるが両者の検出特性の対応関係が既知であるセンサ、の何れかである
ことを特徴とする、請求項２３〜２６の何れか１項に記載の走行する印刷物の測色値換算装置。
【請求項２８】
前記第２の測色値は色座標値である
ことを特徴とする、請求項２１〜２７の何れか１項に記載の走行する印刷物の測色値換算装置。
【請求項２９】
前記第１の測色計は、前記印刷機に設置されて印刷中に各印刷色を計測するオンラインセンサであって、
前記第２の測色計は、前記印刷機外で印刷色を計測するオフラインセンサである
ことを特徴とする、請求項２１〜２８のいずれか１項に記載の走行する印刷物の測色値換算装置。
【請求項３０】
前記第１の測色値は、赤（Ｒ），緑（Ｇ），青（Ｂ）の３色のＲＧＢ濃度値、又は、赤（Ｒ），緑（Ｇ），青（Ｂ），赤外（Ｉ）の４色のＲＧＢＩ濃度値で与えられ、
前記第１の測色計は、赤（Ｒ），緑（Ｇ），青（Ｂ）の３色の濃度値を検出するＲＧＢ濃度計、又は、赤（Ｒ），緑（Ｇ），青（Ｂ），赤外（Ｉ）の４色の濃度値を検出するＲＧＢＩ濃度計である
ことを特徴とする、請求項２１〜２９のいずれか１項に記載の走行する印刷物の測色値換算装置。
【発明の詳細な説明】
【技術分野】
【０００１】
本発明は、印刷機のインキ供給量制御、湿し水供給、品質検査等に用いて好適の、走行する印刷物の測色値換算方法及び装置、並びに、係る方法を用いた印刷機の種々の制御方法及び装置，印刷状態判定方法及び装置に関する。
【背景技術】
【０００２】
従来、特にインキを転写して印刷を行なう印刷機では、オペレータが印刷結果を目視して印刷の確認を行なって、品質検査やこれに基づくインキ供給量の制御や湿し水の供給制御を手動で行なっていた。
近年、印刷機の機上にセンサを設置して、このセンサで印刷結果の色を測定して、この測色結果に基づいて、品質検査やこれに基づくインキ供給量の制御や湿し水の供給制御を自動で行なう技術が開発され実用化されている。
【０００３】
例えば、特許文献１には、印刷物を抜き取って、オフラインでこの印刷物の色を光電式に読み取って分光計でスペクトル分光し、スペクトル分光値から色座標システムの測色値に変換し、変換した測色値から色差ベクトルΔＥｎを計算し、この色差に基づいてインキの供給量を制御する技術が記載されている。
また、特許文献２，３には、走行している印刷物の所望の絵柄領域の分光反射率を測定し、測定した分光反射率からＬａｂ色度及び分光濃度Ｄ（λ）を算出し、算出した各値を、基準のＬａｂ色度及び分光濃度Ｄ（λ）と比較して、差分をとって、この差分が許容範囲内にあるか否かによって，印刷色調の良否を判定し、不良の場合にはインキ供給量を調整する技術が記載されている。
【０００４】
さらに、特許文献４には、濃度計で測色した測色値から各インキ色の実網点面積率を求め、実網点面積率が閾値を超えたか否かを判定し、実網点面積率が閾値を超えたインキ色があったらそのインキ色の汚れが発生しているものと判定する技術が記載されている。
また、特許文献５には、商業印刷物をマルチスペクトル計測して得られたマルチスペクトル情報に応じて商業印刷物の分光反射率を推定してその色調を計測する技術に関する技術として、予め規定された基準印刷物の印刷色から墨色を分離して、墨色を除く各色について各色が占める領域を特定した後、墨色に関するマルチスペクトル情報と分光反射率との関係を規定する墨伝達関数を求め、さらに、各色が占める領域に応じて各色毎にマルチスペクトル情報と分光反射率との関係を規定する各色伝達関数を求めて、墨伝達関数及び各色伝達関数に基づいて商業印刷物をマルチスペクトル計測して得られたマルチスペクトル情報から分光反射率を推定する技術が記載され、マルチスペクトル計測の際のチャネル数を少なくして、精度よく商業印刷物の分光反射率を推定し色調を計測できる効果がある。
【０００５】
さらに、特許文献６には、白色の基体（白板）の測定を行ない、それによって求められる白色の値により、センサによって求められた色測定の検出値を修正（キャリブレーション）する技術が記載されている。
【先行技術文献】
【特許文献】
【０００６】
【特許文献１】特開昭６２−１４６６３３号公報
【特許文献２】特開２００１−１８３６４号公報
【特許文献３】特開２００１−４７６０５号公報
【特許文献４】特許第４０２２２３３号公報
【特許文献５】特開２００４−１９８１４６号公報
【特許文献６】特開２００７−５３６１２８号公報
【発明の概要】
【発明が解決しようとする課題】
【０００７】
ところで、印刷機の印刷ライン上に直接センサ（オンラインセンサ）を設けて、印刷中に、このオンラインセンサにより検出された色情報（測色値）に基づいて、印刷品質の検査やこれに基づくインキ供給量の制御や湿し水の供給制御等を自動で行なう場合、オンラインセンサには印刷絵柄の何れの箇所に対しても高速印刷速度［例えば、高速オフセット印刷の場合、約１５（ｍ／ｓ）以上］に応じて高速に検出できることが要求される。
【０００８】
一方、色を適切に判定するには、適正な色基準に基づいた色情報、つまり、例えば色座標で表現されるような絶対的な色情報が必要である。例えば分光反射率として絶対的な色情報を直接的に得るには、参照光のための絶対白色板を設置することが必要になる。
例えば、上記の特許文献２，３では、分光反射率から色座標Ｌ*ａ*ｂ*及び分光濃度Ｄ（λ）を算出しているが、分光反射率を用いる場合、絶対白色板を設置する必要がある。
【０００９】
この点、特許文献６のように、白色基体（絶対白色板）の色測定を行なって絶対白色値を求めて、センサによって求められた色測定の検出値をキャリブレーションする技術を用いれば、絶対的な色情報を直接的に得ることができる。
しかし、この場合には、絶対白色板を設置するスペースを印刷機上に確保することが困難である上、設置スペースを確保できても、設置された絶対白色板は、インキミストによって汚れてしまう可能性が高いため、絶対白色を維持することができず、実用化は難しい。
【００１０】
また、多チャンネルの分光反射率を得る場合、センサに入力される光量低下により、高速印刷時に露光不足が生じるため、上記の高速印刷でＳ／Ｎ比を稼ぐことが出来ない課題や、コスト増を招くといった課題がある。
なお、上記の特許文献４では、濃度計で測色した測色値から各インキ色の実網点面積率を求めているが、適正な色基準に基づいた色情報ではないので、人間の視覚特性に応じた色の判定を行なうには色情報が十分ではない。
【００１１】
また、色情報としては、適正な色基準に基づいた色情報であることも必要な上、より色情報量の多い多チャンネルの波長の色を検出した方が、印刷条件に応じた詳細の色情報を取り得るので有利である。しかし、例えば、より色情報量の多い多チャンネルの波長を計測する分光計等をオンラインセンサとして用いると、高速印刷時の露光不足の課題や大幅なコスト増が生じることになる。そこで、高速印刷に対応し、コスト増を抑えるためには、少数チャンネルの波長を計測する分光計や色彩色差計（例えば、色座標ＸＹＺを直接計測するセンサ）等も用いて行なうことが必要になる。
【００１２】
この点、特許文献５のマルチスペクトル法の場合、少ない波長で真値のスペクトルを推定し、この推定スペクトルから色座標Ｌ*ａ*ｂ*を計算することができるが、この方法でも絶対白色板が必要となり、白色板設置の問題がある。
また、オンラインセンサの場合、印刷直後の色を計測するのでドライダウンの影響が生じる。つまり、印刷直後の色に対して、印刷物が消費者の手元に届くまでには、いわゆるドライダウンと称される発色低下が生じるので、オンラインセンサにより測定される測色値と実際に評価される測色値とに差異が生じてしまう。これを回避する手段として、偏光フィルタ入りの濃度計を用いる技術があるが、この場合、センサに入力される光量が低下するので、高速印刷時には、やはり露光不足の課題が生じ、正確な計測が困難になる。
【００１３】
これに対して、印刷機外のセンサ（オフラインセンサ）の場合、オンラインセンサに要求されるような制約はなく、例えば、ＩＳＯやＣＩＥ（国際照明委員会）等の規格に沿った絶対的な色情報［例えば、濃度計ならばＳｔａｔｕｓ−Ｔ，Ｅ，Ｉ等のフィルタでフィルタリングされた濃度、色座標ならＣＩＥ（国際照明委員会）推奨のＬ*ａ*ｂ*，Ｌ*ｕ*ｖ*、分光反射率なら絶対白色板を参照する分光反射率］を確実に得ることができ、このような色情報によれば、色判定を容易に行なうことができる。また、偏光ファイルタを入れて濃度値を計測できることから、ドライダウンの影響を回避することができる。
【００１４】
しかしながら、印刷中にリアルタイムで測色することはできないので、印刷中にリアルタイムで測色しながら、この結果を速やかに進行中の印刷にフィードバックするわけにはいかない。
例えば、上記の特許文献１の技術では、スペクトル分光値から色座標システムの測色値への変換を容易に行なえるものの、オフラインシステムには適用できるが、オンラインシステムには適用し得ない。
【００１５】
このように、オンラインセンサに適したセンサでは、適正な色基準に基づいた色情報を得ることができず、オフラインセンサでは、適正な色基準に基づいた色情報を得ることができるので、これらの各利点に着目した手法として、オンラインセンサの色情報を、適正な色基準に基づいたオフラインセンサの色情報へ変換して使用することが考えられる。例えば、両色情報を対応させた変換テーブルをデータベースに記録しておき、この変換テーブルを用いて行なう手法と、変換特性に応じた演算式を作成し、この演算式を用いて行なう手法とがある。
【００１６】
何れの手法を用いてセンサの色情報から色判定等のための色情報への変換を行なう場合も、一般に、インキや印刷用紙等の印刷資材や、印刷時の温度や湿度等の印刷条件が変わると変換特性も変わるので、印刷資材条件や印刷条件が変わっても同様な変換テーブルや演算式を用いて色の判定を行なうと、判定誤差が生じることになる。
したがって、印刷資材条件や印刷条件が変わったら、その変わった印刷資材条件や印刷条件に合致した変換テーブルや演算式を用いる必要がある。
【００１７】
そこで、各印刷資材条件及び各印刷条件の組み合わせに応じた固有の変換テーブルや演算式をそれぞれ用意することが必要になる、
しかし、１組の印刷資材条件及び印刷条件に対する変換テーブルや演算式を用意する場合、膨大なデータ処理を要するので、各印刷資材条件及び各印刷条件の組み合わせに応じた固有の変換テーブルや演算式をそれぞれ用意することは、大変な労力と時間を要し、容易には実施することができない。
【００１８】
本発明は、このような課題に鑑み案出されたもので、上述のオンラインセンサに適するセンサのように、適正な色基準に基づいた色情報ではないが、検出速度や装備コストなどの特定のセンサ要求を満たす色センサによる色情報と、上記特定のセンサ要求は満たさないが適正な色基準に基づいた色情報を得ることができる色センサによる色情報との対応関係を、印刷資材条件や印刷条件の変更に対応して容易に補正することができるようにして、条件変更に対しても印刷した色の判定を高精度に行なうことができるようにした、走行する印刷物の測色値換算方法及び装置、印刷制御方法及び装置、並びに印刷状態判定方法及び装置を提供することを目的とする。
【課題を解決するための手段】
【００１９】
上記目標を達成するため、本発明の走行する印刷物の測色値換算方法は、
印刷機を走行する印刷物を第１の測色計によって計測し第１の測色値を得ると共に、前記印刷物の特定箇所を第２の測色計によって計測し第２の測色値を得る計測ステップと、予め設定された、前記第１の測色計及び前記第２の測色計を用いて同じ色を計測したときの測色値の対応関係と、前記計測ステップにより前記印刷物の前記特定箇所について計測された前記第１の測色値及び前記第２の測色値とを用いて、走行する前記印刷物を前記第１の測色計によって計測して得た前記第１の測色値の計測値を、前記第２の測色計によって計測した場合の前記第２の測色値に換算する換算ステップと、を備えることを特徴としている。
【００２０】
前記換算ステップでは、前記第１の測色値を前記第２の測色値に換算する場合の補正量を求め、前記対応関係と前記補正量とを用いて前記換算を行なうことが好ましい。
前記換算ステップでは、前記対応関係を用いて、前記計測ステップにより前記印刷物の前記特定箇所について計測された前記第１の測色値及び前記第２の測色値から、前記補正量を求めることが好ましい。
【００２１】
なお、測色値とは色を規定する値を全て指すものとする。また、第１の測色値及び第２の測色値とは、測色値の種類を規定するもので、具体的な値を示すものではない。つまり、第１の測色値と第２の測色値とは異なる種類の測色値である。
前記補正量が所定の範囲を超える場合は、前記補正量により前記対応関係を修正するステップを更に備え、前記対応関係修正ステップにより前記対応関係が修正されると、前記換算ステップでは、修正された前記対応関係を用いることが好ましい。
【００２２】
前記対応関係は、前記第１の測色計により計測される前記第１の測色値と前記第２の測色計により計測される前記第２の測色値とを対応させた対応テーブルであって、前記換算ステップでは、前記対応テーブルにおける前記第１の測色値の計測値と前記第２の測色値の計測値との何れか一方の値の近傍領域について、前記対応テーブルにおける前記第１の測色値に対する前記第１の測色値の計測値の変化分と前記対応テーブルにおける前記第２の測色値に対する前記第２の測色値の計測値の変化分とを対応させた変化分対応テーブルを求め、該変化分対応テーブルの何れかの変化分を前記補正量とすることが好ましい。
【００２３】
前記近傍領域とは、前記一方の値に対して予め設定した一定の色空間距離範囲内の領域であることが好ましい。
或いは、前記近傍領域とは、前記対応テーブルにおいて前記一方の値に対して最も色空間距離の近い値から順に所定個数の値の範囲内の領域であることが好ましい。
前記第２の測色値は色座標値、例えば、均等知覚色座標システムの色座標（例えば、Ｌ*ａ*ｂ*又はＬ*ｕ*ｖ*）の値であることが好ましい。
【００２４】
前記対応関係は、前記印刷機により色再現範囲を網羅した多数の色を印刷して、これらの多数の印刷色のそれぞれを前記第１の測色値を計測しうる第１の測色計により計測すると共に前記第２の測色値を計測しうる第２の測色計により計測して、これらの多数の計測値の対応から取得されたものであって、前記計測ステップで用いる前記第１の測色計と前記対応関係の取得の際に用いる前記第１の測色計とが、同一の測色計、別の測色計であるが同一の検出特性の測色計、別の測色計であり別の検出特性であるが両者の検出特性の対応関係が既知である測色計、の何れかであると共に、前記計測ステップで用いる前記第２の測色計と前記対応関係の取得の際に用いる前記第２の測色計とが、同一の測色計、別の測色計であるが同一の検出特性の測色計、別の測色計であり別の検出特性であるが両者の検出特性の対応関係が既知である測色計、の何れかであることが好ましい。
【００２５】
前記第１の測色計は、前記印刷機に設置されて印刷中に各印刷色を計測するオンラインセンサであって、前記第２の測色計は、前記印刷機外で印刷色を計測するオフラインセンサであることが好ましい。
前記第１の測色値は、赤（Ｒ），緑（Ｇ），青（Ｂ）の３色のＲＧＢ濃度値、又は、赤（Ｒ），緑（Ｇ），青（Ｂ），赤外（Ｉ）の４色のＲＧＢＩ濃度値で与えられ、前記第１の測色計は、赤（Ｒ），緑（Ｇ），青（Ｂ）の３色の濃度値を検出するＲＧＢ濃度計、又は、赤（Ｒ），緑（Ｇ），青（Ｂ），赤外（Ｉ）の４色の濃度値を検出するＲＧＢＩ濃度計であることが好ましい。
【００２６】
オンラインセンサに適用する第１の測色値を検出する第１の測色計としては、ＲＧＢ濃度計やＲＧＢＩ濃度計に限らず、反射率計や反射光量計など、他の測色計の適用も可能である。
オフラインセンサに適用する第２の測色値を検出する第２の測色計としては、例えば、ＩＳＯで規格化されたＳｔａｔｕｓ−Ｔ，Ｅ，Ｉ等のフィルタでフィルタリングされた白板基準の濃度値を第２の測色値として検出する濃度計や、ＣＩＥ（国際照明委員会）推奨の色座標システムＬ*ａ*ｂ*，Ｌ*ｕ*ｖ*，ＸＹＺ等を第２の測色値として検出するセンサや、絶対白色板を参照する分光反射率を第２の測色値として検出する分光計等を適用することも可能である。
【００２７】
さらに、第１の測色値や第２の測色値は、色空間上に規定することができ、例えば、赤（Ｒ），緑（Ｇ），青（Ｂ）の３色のＲＧＢ濃度値や均等知覚色座標システムの色座標Ｌ*ａ*ｂ*又はＬ*ｕ*ｖ*は、３次元の色空間上に規定することができ、次元の小さいものほど扱いはシンプルにできる。一方、例えば、赤（Ｒ），緑（Ｇ），青（Ｂ），赤外（Ｉ）の４色の濃度値は、４次元の色空間上に規定することができ、分光反射率値Ｒ（λ）のように、もっと多くの次元（ｎ次元）の色空間に規定できる測色値（色情報）もあり、本発明にはいずれの次元の測色値（色情報）も適用できる。
【００２８】
前記換算ステップは、印刷製品とする通常印刷用絵柄を印刷する通常印刷時に実施し、前記計測ステップでは、前記換算ステップと同様の前記通常印刷用絵柄を印刷して前記計測値を取得することが好ましい。
前記計測ステップは、印刷条件が変更されると実施することが好ましい。
前記印刷条件とは、印刷に使用する用紙又はインキを含む印刷資材条件、或いは印刷絵柄であることが好ましい。
【００２９】
本発明の印刷制御方法は、上記の測色値換算方法を用いて、前記印刷機により印刷を行ないながら前記換算ステップを実施し、前記第１の測色値の計測値を前記第２の測色値に換算して、前記印刷機による印刷を制御する方法であって、前記換算した前記第２の測色値を予め設定された前記の第２の測色値の目標値と比較する比較ステップと、前記比較ステップにより、前記換算した第２の測色値と前記目標値との色差が予め設定された許容値を超えたと判定されたら、前記色差が減少する方向にインキ供給量を調整する調整信号を出力する調整ステップと、をそなえていることを特徴としている。
【００３０】
もう一つの本発明の印刷制御方法は、上記の測色値換算方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷を制御する方法であって、前記換算した前記第２の測色値を予め前記非画線部について設定された前記の第２の測色値の目標値と比較する比較ステップと、前記比較ステップにより、前記換算した第２の測色値と前記目標値との色差が予め設定された許容値を超えたと判定されたら、インキ汚れが発生していると判定しインキ汚れが減少するように湿し水量を調整する調整ステップと、をそなえていることを特徴としている。
【００３１】
本発明の印刷状態判定方法は、上記の測色値換算方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷状態を判定する方法であって、前記換算した前記第２の測色値を予め前記非画線部について設定された前記の第２の測色値の目標値と比較する比較ステップと、前記比較ステップにより、前記換算した第２の測色値と前記目標値との色差が予め設定された許容値を超えたと判定されたら、印刷不良と判定する判定ステップと、をそなえていることを特徴としている。
【００３２】
本発明の印刷制御装置は、上記の測色値換算方法を用いて、前記印刷機により印刷を行ないながら前記換算ステップを実施し、前記第１の測色値の計測値を前記第２の測色値に換算して、前記印刷機による印刷を制御する装置であって、前記換算した前記第２の測色値を予め設定された前記の第２の測色値の目標値と比較する比較手段と、前記比較手段により、前記換算した第２の測色値と前記目標値との色差が予め設定された許容値を超えたと判定されたら、前記測色値の差が減少する方向にインキ供給量を調整する調整手段と、をそなえていることを特徴としている。
【００３３】
もう一つの本発明の印刷制御装置は、上記の測色値換算方法を用いて、印刷に係る非画線部を前記特定箇所として前記印刷機により印刷を行ないながら前記換算ステップを実施し、前記第１の測色値の計測値を前記第２の測色値に換算して、前記印刷機による印刷を制御する装置であって、前記換算した前記第２の測色値を予め前記非画線部について設定された前記の第２の測色値の目標値と比較する比較手段と、前記比較手段により、前記換算した第２の測色値と前記目標値との色差が予め設定された許容値を超えたと判定されたら、インキ汚れが発生していると判定しインキ汚れが減少するように湿し水量を調整する調整手段と、をそなえていることを特徴としている。
【００３４】
本発明の印刷状態判定装置は、上記の測色値換算方法を用いて、印刷に係る非画線部を前記特定箇所として前記印刷機により印刷を行ないながら前記換算ステップを実施し、前記第１の測色値の計測値を前記第２の測色値に換算して、前記所定印刷機による印刷状態を判定する装置であって、前記換算した前記第２の測色値を予め前記非画線部について設定された前記の第２の測色値の目標値と比較する比較手段と、前記比較手段により、前記換算した第２の測色値と前記目標値との色差が予め設定された許容値を超えたと判定されたら印刷不良と判定する判定手段と、をそなえていることを特徴としている。
【００３５】
本発明の走行する印刷物の測色値換算装置は、印刷機を走行する印刷物を計測し第１の測色値を得る第１の測色計と、前記印刷物の特定箇所を計測し第２の測色値を得る第２の測色計と、前記第１の測色計及び前記第２の測色計を用いて同じ色を計測したときの測色値の対応関係を記憶した記憶手段と、前記記憶手段に記憶された前記対応関係と、前記印刷物の前記特定箇所について前記第１の測色計により計測された前記第１の測色値及び前記第２の測色計により計測された前記第２の測色値とを用いて、走行する前記印刷物を前記第１の測色計によって計測して得た前記第１の測色値の計測値を、前記第２の測色計によって計測した場合の前記第２の測色値に換算する換算手段と、を備えることを特徴としている。
【００３６】
前記換算手段は、前記第１の測色値を前記第２の測色値に換算する場合の補正量を求め、前記対応関係と前記補正量とを用いて前記換算を行なうことが好ましい。
この場合、前記換算手段は、前記対応関係を用いて、前記第１の測色計及び前記第２の測色計により前記印刷物の前記特定箇所について計測された前記第１の測色値及び前記第２の測色値から、前記補正量を求めることが好ましい。
【００３７】
前記記憶手段に記憶された前記対応関係は、前記第１の測色計により計測される前記第１の測色値と前記第２の測色計により計測される前記第２の測色値とを対応させた対応テーブルであって、前記換算手段は、前記対応テーブルにおける前記第１の測色値の計測値と前記第２の測色値の計測値との何れか一方の値の近傍領域について、前記対応テーブルにおける前記第１の測色値に対する前記第１の測色値の計測値の変化分と前記対応テーブルにおける前記第２の測色値に対する前記第２の測色値の計測値の変化分とを対応させた変化分対応テーブルを求め、該変化分対応テーブルの何れかの変化分を前記補正量とすることが好ましい。
【００３８】
前記近傍領域とは、前記一方の値に対して予め設定した一定の色空間距離範囲内の領域であることが好ましい。
或いは、前記近傍領域とは、前記対応テーブルにおいて前記一方の値に対して最も色空間距離の近い値から順に所定個数の値の範囲内の領域であることが好ましい。
前記第２の測色値は色座標値、例えば、均等知覚色座標システムの色座標（Ｌ*ａ*ｂ*又はＬ*ｕ*ｖ*）の値であることが好ましい。
【００３９】
前記記憶手段に記憶された前記対応関係は、前記印刷機により色再現範囲を網羅した多数の色を印刷して、これらの多数の印刷色のそれぞれを前記第１の測色値を計測しうる第１の測色計により計測すると共に前記第２の測色値を計測しうる第２の測色計により計測して、これらの多数の計測値の対応から前記対応関係を取得したものであって、前記換算手段による前記補正量の算出に用いる前記第１の測色計と前記対応関係の取得に用いた前記第１の測色計とが、同一の測色計、別の測色計であるが同一の検出特性の測色計、別の測色計であり別の検出特性であるが両者の検出特性の対応関係が既知である測色計、の何れかであると共に、前記換算手段による前記補正量の算出に用いる前記第２の測色計と前記対応関係の取得に用いた前記第２の測色計とが、同一のセンサ、別のセンサであるが同一の検出特性のセンサ、別のセンサであり別の検出特性であるが両者の検出特性の対応関係が既知であるセンサ、の何れかであることが好ましい。
【００４０】
前記第１の測色計は、前記印刷機に設置されて印刷中に各印刷色を計測するオンラインセンサであって、前記第２の測色計は、前記印刷機外で印刷色を計測するオフラインセンサであることが好ましい。
前記第１の測色値は、赤（Ｒ），緑（Ｇ），青（Ｂ）の３色のＲＧＢ濃度値、又は、赤（Ｒ），緑（Ｇ），青（Ｂ），赤外（Ｉ）の４色のＲＧＢＩ濃度値で与えられ、前記第１の測色計は、赤（Ｒ），緑（Ｇ），青（Ｂ）の３色の濃度値を検出するＲＧＢ濃度計、又は、赤（Ｒ），緑（Ｇ），青（Ｂ），赤外（Ｉ）の４色の濃度値を検出するＲＧＢＩ濃度計であることが好ましい。
【発明の効果】
【００４１】
本発明の走行する印刷物の測色値換算方法又は装置によれば、第１の測色計による第１の測色値と第２の測色計による第２の測色値との既存の対応関係を利用して、印刷物を第１の測色計により計測した第１の測色値の計測値と印刷物の特定箇所を第２の測色計によって計測した第１の測色値の計測値とから、その後、走行する印刷物を第１の測色計によって計測して得た第１の測色値の計測値を第２の測色値に換算するので、例えば、印刷に使用する用紙又はインキを含む印刷資材条件を変更した場合など、様々な印刷条件の変更に対して、その変更した印刷条件の下で、第１の測色計によって得た第１の測色値の計測値を第２の測色値に適切且つ容易に換算することができる。
【００４２】
また、補正量が所定の範囲を超える場合は、補正量により前記対応関係を修正し、その後は、修正された対応関係を用いて換算ステップを実施すると、補正量自体も僅かになり、測色値の換算精度の向上を図ることができる。
また、第１の測色値を第２の測色値に換算する場合の補正量を求め、対応関係と補正量とを用いて換算を行なうことにより、前記換算を適切且つ容易に行なうことができる。
【００４３】
また、前記対応関係を、第１の測色計により計測される第１の測色値と第２の測色計により計測される第２の測色値とを対応させた対応テーブルとし、換算に際して補正量を求める場合、この対応テーブルにおける第１の測色値の測定値と第２の測色値の測定値との何れか一方の値の近傍領域について、対応テーブルにおける第１の測色値に対する第１の測色値の測定値の変化分と対応テーブルにおける第２の測色値に対する第２の測色値の測定値の変化分とを対応させた変化分対応テーブルを求め、この変化分対応テーブルの何れかの変化分を補正量とすることにより、容易に補正量を求めることができる。
【００４４】
対応関係を、印刷機により色再現範囲を網羅した多数の色を印刷して、これらの多数の印刷色のそれぞれを第１の測色値を計測しうる第１の測色計により計測すると共に第２の測色値を計測しうる第２の測色計により計測して、これらの多数の計測値の対応から取得した場合に、計測ステップで用いる第１の測色計と対応関係の取得の際に用いる第１の測色計とに、及び／又は、計測ステップで用いる第２の測色計と対応関係の取得の際に用いる第２の測色計とに、別の測色計であっても互いに同一の検出特性の測色計であるか、別の測色計であり且つ別の検出特性であっても両者の検出特性の対応関係が既知である測色計であれば、これらに同一の測色計を用いずに適正な計測を行なうことができる。
【００４５】
特に、第１の測色計がオンラインセンサであって、第２の測色計がオフラインセンサであれば、オンラインセンサには、適正な色基準に基づいた測色値（色情報）は得られないものの、検出速度が速く装備コスト負担も少ない測色計を適用し第１の測色値を得るようにして、オフラインセンサには、検出速度が速くないが適正な色基準に基づいた測色値を第２の測色値として得ることができる測色計を用いることにより、印刷中にオンラインセンサによりリアルタイムに且つ高精度に第１の測色値を得てこれを適正な色基準に基づいた第２の測色値に換算して色の判定を行なうことで適正な色基準に基づいた色判定を行なうことができ、この判定結果を印刷制御に生かして、印刷品質向上や印刷コスト削減を図ることができる。
【００４６】
例えばオフラインセンサとして装備される第２の測色計により検出される第２の測色値を、均等知覚色座標システムの色座標Ｌ*ａ*ｂ*又はＬ*ｕ*ｖ*などの色座標値で与えれば、人の視覚の沿った色判定が可能になり、印刷色調の制御等をより高精度に実施することが可能になる。
これにより、色の判定を適正に行ないながら、インキ供給量の調整にかかる印刷制御や、湿し水量を調整にかかる印刷制御や、印刷不良の判定等を、印刷中にリアルタイムに且つ高精度に行なうことができる。
【００４７】
ＲＧＢ濃度計やＲＧＢＩ濃度計は、検出速度が速く装備コスト負担も少ないので、オンラインセンサとしての第１の色センサに適している。
第１及び第２の測色計による印刷物の計測を、印刷に使用する用紙又はインキを含む印刷資材条件、或いは印刷絵柄といった、印刷条件が変更されると実施することにより、第１の測色計によって得た第１の測色値の計測値を第２の測色値に常に適切に換算することができる。
【図面の簡単な説明】
【００４８】
【図１】本発明の一実施形態にかかる測色値換算方法を説明するフローチャートである。
【図２】本発明の一実施形態にかかる測色値換算方法及び装置における第１の測色値と第２の測色値との対応関係（対応テーブル，ルックアップテーブル）を、色空間を用いて説明する図であり、（ａ）は第１の測色値にかかる第１の色空間を示し、（Ｂ）は第２の測色値にかかる第２の色空間を示す。
【図３】本発明の一実施形態にかかる測色値換算方法及び装置における印刷条件変更後の第１の測色値と第２の測色値との対応関係を、色空間を用いて説明する図であり、（ａ）は第１の測色値にかかる第１の色空間を示し、（Ｂ）は第２の測色値にかかる第２の色空間を示す。
【図４】本発明の一実施形態にかかる測色値換算方法及び装置におけるオンラインセンサによる計測を説明する図である。
【図５】本発明の一実施形態にかかる測色値換算方法及び装置におけるオフラインセンサによる計測を説明する図である。
【図６】本発明の一実施形態にかかる測色値換算方法を利用した印刷制御の第１例（インキ供給）を説明するフローチャートである。
【図７】本発明の一実施形態にかかる測色値換算方法を利用した印刷制御の第２例（インキ供給）を説明するフローチャートである。
【図８】本発明の一実施形態にかかる測色値換算方法を利用した印刷制御の第３例（湿し水供給）を説明するフローチャートである。
【図９】本発明の一実施形態にかかる測色値換算方法を利用した印刷判定の一例（紙面障害判定）を説明するフローチャートである。
【発明を実施するための形態】
【００４９】
以下、図面により、本発明の実施の形態について説明する。
（測色値対応関係設定方法）
図１−図５は本発明の一実施形態に係る走行する印刷物の測色値換算方法を説明するものである。
本方法では、まず、ある印刷条件（第１の印刷条件）のもとで、所定印刷機（実際の印刷に使用する印刷機）を用いて色再現範囲を網羅した多数のパッチが組み合わされてなる測色用絵柄を印刷し、印刷した各印刷色（多数のパッチの各色）を、第１の測色値（色に関する具体的な値ではなく、色情報の種類を示すものであり、「第１の色情報」或いは「第１の種類の測色値」とも言う）を検出する第１の測色計（第１の色センサ）によって計測すると共に、印刷した各印刷色（多数のパッチの各色）を、第２の測色値（色に関する具体的な値ではなく、色情報の種類を示すものであり、「第２の色情報」或いは「第２の種類の測色値」とも言う）を検出する色センサ（第２の色センサ）によって計測し、各印刷色の第１の測色値と第２の測色値との対応関係（標準対応関係）を、対応テーブル（制御時に参照することからルックアップテーブルとも言う）として作成する。
【００５０】
ここで、第１の色センサとは、所定印刷機に設置されて印刷中に各印刷色を計測するオンラインセンサであって、適正な色基準に基づいた測色値（色情報）は得られないが、オンラインセンサとして要求される検出速度や装備コストなどの要求を満たす色センサである。ここでは、一例として、第１の色センサにより検出される測色値（第１の測色値）をｘｙｚ色空間中の値（ｘ，ｙ，ｚ）で表すものとするが、第１の色センサとしては、例えば、第１の測色値として赤（Ｒ），緑（Ｇ），青（Ｂ）の３色の濃度値を検出するＲＧＢ濃度計を適用することもできる。もちろん、第１の色センサにかかる測色値は三次元情報には限らず、白色板を用いない白紙基準の多チャンネル分光反射率（例えば、ＲＧＢＩの４チャンネル、Ｒ２個、Ｇ２個、Ｂ２個の６チャンネル等）を用いることもでき、白色板を用いない例えば紙色基準の色彩値Ｘ，Ｙ，Ｚ（前記の単なる座標ＸＹＺとは異なる色彩値として用いられる値）を用いることもできる。
【００５１】
なお、第１の色センサとしては、同一の色センサを用いるほかに、第１の測色値の検出特性が互いに等しい別の色センサ、或いは、第１の測色値の検出特性は互いに異なるが、各色センサの検出特性の対応関係が既知のセンサを用いることができる。
つまり、互いに検出特性が等しい色センサであれば、各計測値を同等に扱うことができ、同一の色センサを用いずに計測値を得ることができる。
【００５２】
また、各色センサと検出特性は異なっていてもこれらの検出特性の対応関係が既知のセンサであれば、一方色センサの計測値を、その対応関係を用いて他方の色センサのものに変換することにより、同一の色センサを用いずに必要な計測値を得ることができる。
一方、第２の色センサとは、所定印刷機外で印刷色を計測するオフラインセンサであって、オンラインセンサとして要求される検出速度や装備コストなどの要求を満たす必要はないが、所定の（適正な）色基準に基づいた色情報［ＩＳＯ（国際標準化機構）やＣＩＥ（国際照明委員会）等で制定された規格値］を計測することができるセンサである。ここでは、一例として、第２の色センサにより検出される測色値（第２の測色値）をＸＹＺ色空間中の値（Ｘ，Ｙ，Ｚ）で表すものとするが、もちろん、第２の色センサにかかる測色値も三次元情報には限らない。また、第１の色センサにかかる第１の測色値と第２の色センサにかかる第２の測色値とが同一次元のものにも限らない。例えば、第１の色センサがＲＧＢＩの４次元で、第２の色センサはＲＧＢ、Ｌａｂの３次元やＲＧＢＩの４次元もありえる。さらに、第２の色センサとしては、例えば、ＩＳＯで規格化されたＳｔａｔｕｓ−Ｔ，Ｅ，Ｉ等のフィルタでフィルタリングされた白板基準の濃度値を第２の測色値として検出する濃度計や、ＣＩＥ（国際照明委員会）推奨の色座標システムＬ*ａ*ｂ*，Ｌ*ｕ*ｖ*，ＸＹＺ等を第２の測色値として検出するセンサや、絶対白色板を参照する分光反射率第２の測色値として検出する分光計等を適用することもでき、偏光フィルタ入りでドライダウンの影響がキャンセルされたＳｔａｔｕｓ−Ｔ，Ｅ，Ｉ等のフィルタでフィルタリングされた濃度値（白板基準及び白紙基準含む）、所謂、市販の色センサを適用することもできる。
【００５３】
なお、第２の色センサとしても、同一の色センサを用いるほかに、第２の測色値の検出特性が互いに等しい別の色センサ、或いは、第２の測色値の検出特性は互いに異なるが、各色センサの検出特性の対応関係が既知のセンサを用いることができる。
つまり、互いに検出特性が等しい色センサであれば、各計測値を同等に扱うことができ、同一の色センサを用いずに計測値を得ることができる。
【００５４】
また、各色センサと検出特性は異なっていてもこれらの検出特性の対応関係が既知のセンサであれば、一方色センサの計測値を、その対応関係を用いて他方の色センサのものに変換することにより、同一の色センサを用いずに必要な計測値を得ることができる。
そして、図１に示すように、まず、ステップＳ１として、図４，図５に示すように、第１の印刷条件、例えば、標準印刷資材（標準の印刷用紙で標準のインキ）でカラースケール（色再現範囲を網羅した多数のパッチが組み合わされてなる測色用絵柄）２を印刷し、図４に示すように、所定印刷機に装備されオンラインで第１の色情報の値（ｘ，ｙ，ｚ）を計測する第１の色センサ（オンラインセンサ）１のセンサ出力（ｘ，ｙ，ｚ）と、図５に示すように、オフライン（所定印刷機とは別の箇所）で第２の色情報の値（Ｘ，Ｙ，Ｚ）を計測する第２の色センサ（オフラインセンサ）３のセンサ出力（Ｘ，Ｙ，Ｚ）とを、多数の各パッチ毎に対応させて得て、両者の関係（対応関係）を求める。この対応関係は、第１の色情報の値（ｘ，ｙ，ｚ）［図２（ａ）］を第２の色情報の値（Ｘ，Ｙ，Ｚ）［図２（ｂ）］に写像することであり、対応テーブル（制御時に参照することからルックアップテーブルとも言う）としてデータベース（図示略）に記憶される。
【００５５】
次に、ステップＳ２として、任意の印刷資材及び印刷環境（第２の印刷条件）で印刷を行なう。このように任意の印刷資材及び印刷環境で印刷を行なうと、通常、少なくともいずれかの資材又は印刷環境が対応テーブルを作成した場合（第１の印刷条件）とは異なることになる。そして、印刷した印刷絵柄の任意の絵柄ポイント（特定箇所）を指定する。ここでは、通常の商業印刷を実施する場合を例に説明するが、測色値対応関係の設定のための印刷絵柄（例えば、上記カラースケール）の印刷を行って、カラースケールの任意のポイントを指定してもよい。また、印刷絵柄を映し出すモニタと、このモニタに付設されたタッチパネルを有する場合、印刷絵柄をモニタに映し出し、タッチパネルで指定すれば、絵柄ポイントの指定を容易に行なうことができる。
【００５６】
次に、ステップＳ３として、印刷中に、指定したポイントの第１の色センサ（オンラインセンサ）１により計測値であるセンサ出力値（ｘ０，ｙ０，ｚ０）を記憶する。また、これと共に、ステップＳ４として、その時の印刷物を抜き取って、同じポイントを第２の色センサ（オフラインセンサ）３で計測して、ステップＳ５として、そのセンサ出力値（Ｘ０，Ｙ０，Ｚ０）を記憶する。なお、ステップＳ３〜Ｓ５が計測ステップに相当する。
【００５７】
そして、対応関係、つまり、図２の写像関係に相当する対応テーブルの第２の色情報の欄から、指定したポイントの第２の色情報の計測値（オフラインセンサ計測値、Ｘ０，Ｙ０，Ｚ０）に近い領域（近傍領域）の値（Ｘｎ，Ｙｎ，Ｚｎ）を対応値として多数探し出し、探し出した対応テーブル上の各値［（Ｘｋ，Ｙｋ，Ｚｋ），（Ｘｌ，Ｙｌ，Ｚｌ）・・・］の差分（オフラインセンサ値の変化分）（ΔＸ，ΔＹ，ΔＺ）［但し、ΔＸ＝Ｘｋ−Ｘｌ，ΔＹ＝Ｙｋ−Ｙｌ，ΔＺ＝Ｚｋ−Ｚｌ・・・］をそれぞれ算出する。そして、対応テーブル上の第２の色情報の各値［（Ｘｋ，Ｙｋ，Ｚｋ），（Ｘｌ，Ｙｌ，Ｚｌ）・・・］に対応する対応テーブル上の第１の色情報の各値［（ｘｋ，ｙｋ，ｚｋ），（ｘｌ，ｙｌ，ｚｌ）・・・］についても、同様に各値［（ｘｋ，ｙｋ，ｚｋ），（ｘｌ，ｙｌ，ｚｌ）・・・］の差分（オンラインセンサ値の変化分）（Δｘ，Δｙ，Δｚ）［但し、Δｘ＝ｘｋ−ｘｌ，Δｙ＝ｙｋ−ｙｌ，Δｚ＝ｚｋ−ｚｌ・・・］をそれぞれ算出する。
【００５８】
これによって、指定したポイントの第２の色情報の計測値（Ｘ０，Ｙ０，Ｚ０）に近い領域（近傍領域）について、Δｘ，Δｙ，ΔｚとΔＸ，ΔＹ，ΔＺとを対応させた、変化分対応テーブル（変化分対応関係、補助ルックアップテーブル）が求められる（ステップＳ６）。
なお、ここでは、指定したポイントの第２の色情報計測値（Ｘ０，Ｙ０，Ｚ０）の近傍領域についての変化分対応テーブル（変化分対応関係）を求めているが、指定したポイントの第１の色情報計測値（ｘ０，ｙ０，ｚ０）の近傍領域についての変化分対応テーブル（変化分対応関係、補助ルックアップテーブル）を求めてもよい。
【００５９】
ここで、近傍領域とは、指定したポイントの第２の色情報計測値（Ｘ０，Ｙ０，Ｚ０）又は第１の色情報計測値（ｘ０，ｙ０，ｚ０）を中心又は略中心として予め設定した一定の色空間距離範囲内の領域［図３（ａ），（ｂ）の色空間中の各小円部を参照］とすることもでき、或いは、近傍領域とは、対応テーブルにおいて指定したポイントの第２の色情報計測値（Ｘ０，Ｙ０，Ｚ０）又は第１の色情報計測値（ｘ０，ｙ０，ｚ０）に対して最も色空間距離の近い値から順に所定個数の値の範囲内の領域とすることもできる。
【００６０】
これは、指定したポイントの近傍の領域であれば、印刷条件の変更による第１の色情報の変化分と第２の色情報の変化分との対応関係（つまり、写像関係）の歪み特性には大きな変化はないものと考えられるためである。したがって、この近傍領域を規定するには、かかる対応関係（写像関係）の歪み特性を参照し、歪み特性には大きな変化がない範囲で可能な限り大きな領域を設定することが好ましい。なお、歪み特性については、本技術を実施しながら学習していくこともできる。
【００６１】
これにより、変化分対応テーブル（変化分対応関係）が求められたら、その後の通常の印刷（つまり、印刷製品の印刷）において、逐次計測される指定したポイントの第１の色センサ（オンラインセンサ）１の計測値である続報値（ｘ，ｙ，ｚ）の上記第１の色情報計測値（ｘ０，ｙ０，ｚ０）との変化分（差分）Δｘ，Δｙ，Δｚを算出する（ステップＳ７）。
【００６２】
そして、変化分対応テーブル（変化分対応関係）を用いて、第１の色センサ（オンラインセンサ）１のセンサ出力値の変化分Δｘ，Δｙ，Δｚに対応した第２の色センサ（オフラインセンサ）３の値の変化分（ここでは、補正量に相当する）ΔＸ，ΔＹ，ΔＺを算出する。さらに、上記第２の色情報計測値（Ｘ０，Ｙ０，Ｚ０）を、この算出した変化分（補正量）ΔＸ，ΔＹ，ΔＺによって加減算補正して、第１の色センサ（オンラインセンサ）１の計測値（続報値）（ｘ，ｙ，ｚ）に対応した第２の色センサ（オフラインセンサ）３の値（Ｘ´，Ｙ´，Ｚ´）を得る（ステップＳ８）。
【００６３】
なお、ステップＳ６，Ｓ７及びステップＳ８が換算ステップに相当する。
指定ポイントは、ここでは１つのみとして説明するが、複数のインキ供給ゾーンに対してそれぞれ指定ポイントを設定してもよいし、絵柄全体に複数ポイント設定してもよい。
また、この実施形態では、対応テーブルに、指定したポイントのセンサ計測値（ｘ０，ｙ０，ｚ０）と同一の第１の色情報の値がない場合を説明したが、当然ながら、同一の第１の色情報の値があればこれを用いる。近傍のデータを基に最小自乗近似で求めても良い。
【００６４】
また、変化分対応テーブルについては、複数の指定ポイントについてこれを更新記録しながらデータベース化して充実させていくことができる。
また、変化分対応テーブル（変化分対応関係）の変化分（補正量）が、予め設定された値よりも大きい場合には、変化分対応テーブル（変化分対応関係）を用いて、基本となる対応テーブル（標準対応関係のルックアップテーブル）自体を修正してもよい。つまり、変化分対応テーブルが得られた範囲については、基本となる対応テーブルをこの変化分対応テーブル変化分（補正量）で補正する。これにより、その後は、修正された対応テーブルに基づいて、ステップＳ６，Ｓ７及びステップＳ８の換算ステップを実施するようにすれば、補正量自体が僅かなものになり、測色値の換算精度の向上を図ることができる。
【００６５】
また、本方法の各ステップの処理をコンピュータに機能させるように構成すれば、本発明にかかる測色値対応関係取得装置を達成することができる。この場合、コンピュータの機能構成として、対応関係（標準対応関係）としての対応テーブル（ルックアップテーブル）が記憶されたデータベース（記憶手段）と、色情報を入力する入力手段と、前記第１の色情報の変化分と第２の色情報の変化分との関係である変化分対応関係を求め、この変化分対応関係（補正量）を利用してオンラインセンサ値（第１の色情報続報値）を、これに対応するオフラインセンサ値（第２の色情報の値）に換算する換算手段と、の各機能を有するように構成する。
【００６６】
そして、入力手段に、印刷条件を第２の印刷条件に変更して印刷された印刷色から測定された第１の色情報の検出値（ｘ０，ｙ０，ｚ０）と第２の色情報の検出値（Ｘ０，Ｙ０，Ｚ０）とが入力されるようにし、換算手段の変化分対応関係取得部（補正量取得手段）では、対応テーブルを用いて、入力手段により入力された第１の色情報の検出値と第２の色情報の検出値の何れか一方の値の近傍領域について、第１の色情報の変化分（第１の変化分）と第２の色情報の変化分（第２の変化分）との関係である変化分対応関係を求めるようにする。さらに、換算手段では、第２の印刷条件での印刷中にオンラインセンサ（第１の色センサ）により得られるオンラインセンサ値（第１の色情報続報値）に対して、第１の色情報続報値（ｘ，ｙ，ｚ）の第１の色情報検出値（ｘ０，ｙ０，ｚ０）に対する変化分（第１の変化分）（Δｘ，Δｙ，Δｚ）を求め、この求めた第１の変化分（Δｘ，Δｙ，Δｚ）に対応する第２の変化分（ΔＸ，ΔＹ，ΔＺ）を変化分対応関係から求め、この求めた第２の変化分（ΔＸ，ΔＹ，ΔＺ）を補正量としてこれによりオフラインセンサ検出値（第２の色情報検出値）（Ｘ０，Ｙ０，Ｚ０）を補正し、オンラインセンサ値（第１の色情報続報値）をこれに対応するオフラインセンサ値（第２の色情報の値）（Ｘ´，Ｙ´，Ｚ´）に換算するように構成する。
【００６７】
本発明の一実施形態にかかる走行する印刷物の測色値換算方法及び装置は上述のように構成されているので、印刷条件を変更した場合の第１の色情報値（ｘ，ｙ，ｚ）と第２の色情報値（Ｘ，Ｙ，Ｚ）との対応関係を、印刷絵柄のわずかな数点を指定（選定）して、この選定印刷色を第１の色センサ（オンラインセンサ）１又はこれと等価な別の第１の色センサで計測して第１の色情報検出値（ｘ０，ｙ０，ｚ０）を得ると共に、前記選定印刷色を第２の色センサ（オフラインセンサ）３又はこれと等価な別の第２の色センサで計測して第２の色情報検出値（Ｘ０，Ｙ０，Ｚ０）を得て、この得られた第２の色情報値（Ｘ０，Ｙ０，Ｚ０）又は第１の色情報検出値（ｘ０，ｙ０，ｚ０）と対応関係（対応テーブル）とから、第２の色情報値（Ｘ０，Ｙ０，Ｚ０）又は第１の色情報検出値（ｘ０，ｙ０，ｚ０）の近傍領域の各色情報の変化分の対応関係をもとめ、その後の第１の色センサ（オンラインセンサ）１に対しては、この変化分の対応関係を利用して、第１の色センサ（オンラインセンサ）１の計測値である続報値（ｘ，ｙ，ｚ）とその第１の色情報検出値（ｘ０，ｙ０，ｚ０）との変化分（差分）Δｘ，Δｙ，Δｚに対応した第２の色センサ（オフラインセンサ）３の値の変化分（補正量）ΔＸ，ΔＹ，ΔＺを算出して、第２の色情報検出値（Ｘ０，Ｙ０，Ｚ０）を、この算出した変化分（補正量）ΔＸ，ΔＹ，ΔＺによって加減算補正して、第１の色センサ（オンラインセンサ）１のセンサ出力値（続報値）（ｘ，ｙ，ｚ）に対応した第２の色センサ（オフラインセンサ）３の値（Ｘ´，Ｙ´，Ｚ´）を得るので、極めて簡便に条件変更時の対応関係を得ることができ、様々な印刷条件の変更に対して、その変更した印刷条件の下で、走行する印刷物の測色値をオンラインセンサに適した第１の測色値（色情報）から、オフラインセンサに適した第２の測色値（色情報）に容易に換算することができる。
【００６８】
つまり、第１の測色値を、所定の（適正な）色基準に基づいた色情報ではないがオンラインセンサに適していて容易であり速やかに行なえる色情報として、第１の測色値を計測する第１の色センサ１を印刷に使用する所定印刷機に設置すれば、実際の印刷中に印刷色の第１の色情報を第１の色センサ１により計測しながらこの計測結果（第１の測色値）に基づいて印刷に関しフィードバック制御する上で都合がよい。
【００６９】
また、第２の測色値を所定の（適正な）色基準に基づいた色情報とすると、オンラインセンサには適さないが色判定には都合はよい情報となるので、対応関係（対応テーブル等）を用いて第１の測色値を第２の測色値に変換して色判定に使用すれば、オンラインで適切な色判定を行なうことができる。
この対応関係（若しくは変化分対応関係）は、多数の濃度値（若しくは濃度値変化分）と色座標値（若しくは色座標変化分）とを対応させた対応テーブルとして保存され利用されるが、通常は多数の濃度値と色座標値との対応を全て計測して求めることは膨大な時間や大きな作業負担を招くことになる。この点、本測色値換算方法又は装置によれば、このような各印刷条件に応じた対応関係を容易に取得することができるので、予め印刷しようとする印刷条件に応じた対応関係を用意して、各印刷制御に利用することができ、オンラインセンサにより計測した印刷色の計測値（第１の色情報）を所定の（適正な）色基準に基づいた色情報色（第２の色情報）に変換しこの色情報に基づく印刷へのフィードバック制御を精度よく行なうことができる。
【００７０】
なお、印刷条件変更時にも、前記の色再現範囲を網羅した多数のパッチが組み合わされてなる測色用絵柄を印刷していずれかのパッチを選定して選定印刷色とすれば、条件変更時対応関係の設定が容易になる。
また、条件変更時の対応関係の更新を、選定印刷ポイントを中心として予め設定した色範囲内において実施することで、対応関係の補正領域は制限されるが対応関係を精度よく補正することができる。
【００７１】
ここで、本発明にかかる測色値換算方法を印刷制御方法及び装置に適用する例、並びに印刷状態判定方法及び装置に適用する例を説明する。
・第１例（インキ供給)
測色値換算方法を利用した印刷制御の第１例としてインキ供給制御を説明する。
この場合、色座標で絵柄を制御する方法なら全てに適用できる。但し第１の計測器は色座標を計測できないものとする。
【００７２】
図６に示すように、公知（特開２００１−１８３６４、特開２００１−４７６０５参照）のインキ供給量制御による絵柄色調制御を始動し（ステップＡ１）、モニタ上に印刷する絵柄色調を映し出して絵柄色調制御をしたい点をモニタ上で指定する（ステップＡ２）。そして、この指定した点の第１の色センサ（オンラインセンサ）の値を記憶し（ステップＡ３）、予め用意された第１の色センサの値と第２の色センサの値との対応関係（ルックアップテーブル）から第２の色センサ（オフラインセンサ）の色情報（第２の色情報）の値を演算する（ステップＡ４）。
【００７３】
そして、実際の印刷物の上記同じ点を第２の色センサ（オフラインセンサ）によって計測する（ステップＡ５）。この場合、第２の色センサと検出特性が同じか又は同じ検出特性の値を得ることができる第４の色センサにより測定してもよい。そして、ステップＡ４の演算値とステップＡ５の計測値の色差（第２の色情報の色差）があらかじめ設定された基準値Ａ未満であるかを判定する（ステップＡ６）。なお、第２の色情報の色差を、例えば、ΔＸ，ΔＹ，ΔＺ，と現すと、色差は、√（ΔＸ２＋ΔＹ２＋ΔＺ２）で表すことができる。
【００７４】
第２の色情報が、ＣＩＥが提唱する均等知覚色座標システムＬ*ａ*ｂ*やＬ*ｕ*ｖ*であれば、色差は人間の視覚特性と同じ感覚で評価でき、判定が容易となる。
ここで、色差が基準値Ａ未満でないなら、前記手法により変化分対応関係を求め（ステップＡ７）、第１の色センサ（オンラインセンサ）の検出値の変化分Δｘ，Δｙ，Δｚを求めて（ステップＡ８）、この求めた第１の変化分（Δｘ，Δｙ，Δｚ）に対応する第２の変化分（ΔＸ，ΔＹ，ΔＺ）を変化分対応関係から求め、この求めた第２の変化分（ΔＸ，ΔＹ，ΔＺ）によりオフラインセンサ検出値（第２の色情報検出値）（Ｘ０，Ｙ０，Ｚ０）を補正したものを、オンラインセンサ値（第１の色情報続報値）に対応するオフラインセンサ値（第２の色情報の値）（Ｘ´，Ｙ´，Ｚ´）とする（ステップＡ９）。
【００７５】
そして、モニタ上に上記演算値（制御したい点の第２の色情報の値）を表示して（ステップＡ１０）、絵柄色調制御を始動する（ステップＡ１１）。
一方、ステップＡ６において、色差が基準値Ａ未満なら、第１と第２の色センサの対応関係（ルックアップテーブル）は更新せずにモニタ上に前記演算値（制御したい点の第２の色情報の値）を表示して（ステップＡ１２）、絵柄色調制御を始動する（ステップＡ１３）。
これにより、インキ供給量制御を適正に行なうことができ、印刷絵柄を所望のものに近づけることができる。
なお、ステップＡ１１，Ａ１３は省略できる。
【００７６】
・第２例（インキ供給)
測色値換算方法を利用した印刷制御の第２例としてインキ供給制御を説明する。
【００７７】
この場合、色座標で絵柄を制御する方法なら全てに適用できる。但し第１の計測器は色座標を計測できないものとする。
図７に示すように、公知（特開昭６２−１４６６３３号公報参照）のカラースケール（色再現範囲を網羅した多数のパッチが組み合わされてなる測色用絵柄）を用いたインキ供給量制御による絵柄色調制御（パッチ色調制御）を始動し（ステップＢ１）、指定したパッチの第１の色センサの計測値を記憶する（ステップＢ２）。そして、予め用意された第１と第２の色センサの対応関係（ルックアップテーブル）から第１の色センサの計測値に対応する第２の色センサ色情報値（第２の色情報値、規格値）を演算する（ステップＢ３）。
【００７８】
そして、実際の印刷物の上記指定したパッチを第２の色センサ（オフラインセンサ）によって計測する（ステップＢ４）この場合、第２の色センサと検出特性が同じか又は同じ検出特性の値を得ることができる第４の色センサにより測定してもよい。そして、ステップＢ３の演算値とステップＢ４の計測値の色差（第２の色情報の色差）√（ΔＸ２＋ΔＹ２＋ΔＺ２）があらかじめ設定された基準値Ａ未満であるかを判定する（ステップＢ５）。ここで、色差が基準値Ａ未満でないなら、前記手法により変化分対応関係を求め（ステップＢ６）、第１の色センサ（オンラインセンサ）の検出値の変化分Δｘ，Δｙ，Δｚを求めて（ステップＢ７）、この求めた第１の変化分（Δｘ，Δｙ，Δｚ）に対応する第２の変化分（ΔＸ，ΔＹ，ΔＺ）を変化分対応関係から求め、この求めた第２の変化分（ΔＸ，ΔＹ，ΔＺ）によりオフラインセンサ検出値（第２の色情報検出値）（Ｘ０，Ｙ０，Ｚ０）を補正したものを、オンラインセンサ値（第１の色情報続報値）に対応するオフラインセンサ値（第２の色情報の値）（Ｘ´，Ｙ´，Ｚ´）とする（ステップＢ８）。
【００７９】
そして、モニタ上に上記演算値（制御したい点の第２の色情報の値）を表示して（ステップＢ９）、絵柄色調制御を始動する（ステップＢ１０）。
一方、ステップＢ５において、色差が基準値Ａ未満なら、第１と第２の色センサの対応関係（ルックアップテーブル）は更新せずにモニタ上に前記演算値（制御したい点の第２の色情報の値）を表示して（ステップＢ１１）、絵柄色調制御を始動する（ステップＢ１２）。
これにより、インキ供給量制御を適正に行なうことができ、印刷絵柄を所望のものに近づけることができる。
なお、ステップＢ９，Ｂ１１は省略できる。
【００８０】
・第３例（湿し水供給)
測色値換算方法を利用した印刷制御の第３例として湿し水供給制御を説明する。
【００８１】
この場合、色座標で湿し水を制御する方法なら全てに適用できる。但し第１の計測器は色座標を計測できないものとする。
図８に示すように、公知（特許第４０２２２３３号公報参照）の湿し水制御を始動し（ステップＣ１）、モニタ上で非画線部を指定する（ステップＣ２、特許第３８２５４２７号参照）。そして、予め用意された第１と第２の色センサの対応関係（ルックアップテーブル）から指定された非画線部の第２の色センサの色情報値を演算する（ステップＣ３）。
【００８２】
そして、実際の印刷物の指定された非画線部を第２の色センサで計測する（ステップＣ４）。この場合も、第２の色センサと検出特性が同じか又は同じ検出特性の値を得ることができる第４の色センサにより測定してもよい。そして、ステップＣ３の演算値とステップＣ４の計測値の色差があらかじめ設定された基準値Ａ未満であるかを判定する（ステップＣ５）。ここで、色差が基準値Ａ未満でないなら、前記手法により変化分対応関係を求め（ステップＣ６）、第１の色センサ（オンラインセンサ）の検出値の変化分Δｘ，Δｙ，Δｚを求めて（ステップＣ７）、この求めた第１の変化分（Δｘ，Δｙ，Δｚ）に対応する第２の変化分（ΔＸ，ΔＹ，ΔＺ）を変化分対応関係から求め、この求めた第２の変化分（ΔＸ，ΔＹ，ΔＺ）によりオフラインセンサ検出値（第２の色情報検出値）（Ｘ０，Ｙ０，Ｚ０）を補正したものを、オンラインセンサ値（第１の色情報続報値）に対応するオフラインセンサ値（第２の色情報の値）（Ｘ´，Ｙ´，Ｚ´）とする（ステップＣ８）。
【００８３】
そして、モニタ上に上記演算値（非画線部の第２の色情報値）を表示して（ステップＣ９）、汚れ対象箇所の色差（汚れ色差）が基準値Ｂ以上かを判定し（ステップＣ１０）、汚れ色差が基準値Ｂ以上なら、湿し水を発砲し、汚れを抑える（ステップＣ１１）。
ステップＣ５において、色差が基準値Ａ未満なら、第１と第２の色センサの対応関係（ルックアップテーブル）は更新せずにモニタ上に上記演算値（非画線部の第２の色情報値）を表示して（ステップＣ１２）、汚れを抑える制御を適宜行なう（ステップＣ１０，Ｃ１１）。
これにより、印刷汚れを抑制することができる。
【００８４】
・第４例（品質検査装置に適用)
測色値換算方法を利用した第４例として品質検査を説明する。
この場合、図９に示すように、基準画像（第１の色情報値）を生成し（ステップＤ１）、予め用意された第１と第２の色センサの対応関係（ルックアップテーブル）から第２の色センサの色情報値を演算する（ステップＤ２）。そして、基準画像（第２の色情報値）を生成する（ステップＤ３）。
【００８５】
さらに、実際の印刷物を第２の色センサによって計測する（ステップＤ４）。
ここで、ステップＤ３の基準画像の色情報の値（演算値）とステップＤ４の実際の印刷物の色情報の値（計測値）の色差が予め設定された基準値Ａ未満であるかを判定する（ステップＤ５）。ここで、色差が基準値Ａ未満でないなら、前記手法により変化分対応関係を求め（ステップＤ６）、第１の色センサ（オンラインセンサ）の検出値の変化分Δｘ，Δｙ，Δｚを求めて（ステップＤ７）、この求めた第１の変化分（Δｘ，Δｙ，Δｚ）に対応する第２の変化分（ΔＸ，ΔＹ，ΔＺ）を変化分対応関係から求め、この求めた第２の変化分（ΔＸ，ΔＹ，ΔＺ）によりオフラインセンサ検出値（第２の色情報検出値）（Ｘ０，Ｙ０，Ｚ０）を補正したものを、オンラインセンサ値（第１の色情報続報値）に対応するオフラインセンサ値（第２の色情報の値）（Ｘ´，Ｙ´，Ｚ´）とする（ステップＤ８）。
【００８６】
そして、実際の印刷物を第２の色センサで計測して（ステップＤ９）、計測画像（第２の色情報の計測値）を生成する（ステップＤ１０）。さらに、ステップＤ３の基準画像の色の値（第２の色情報の基準値）からステップＤ９の計測した実際の印刷物の色の値（第２の色情報の計測値）を減算し、この値が許容値Ｃを超えたかを判定し（ステップＤ１１）、減算値が許容値Ｃを越えたら紙面障害（印刷不良）と判定する（ステップＤ１２）。
【００８７】
ステップＤ５において、色差が基準値Ａ未満なら、第１と第２の色センサの対応関係（ルックアップテーブル）を更新せずに計測画像（第２の色情報の計測値）を生成して（ステップＤ１３）、紙面障害（印刷不良）を判定する（ステップＤ１１，Ｄ１２）。
これにより、適切に紙面障害（印刷不良）と判定することができる。
以上、本発明の実施の形態について説明したが、本発明は、その趣旨を逸脱しない範囲で上記の実施形態のものを適宜変更して実施することもできる。
【００８８】
例えば、上記の実施形態では、Δｘ，Δｙ，ΔｚとΔＸ，ΔＹ，ΔＺとを対応させた変化分対応テーブルを求めておき、印刷中に得られる第１の色センサ（オンラインセンサ）１のセンサ出力値（ｘ，ｙ，ｚ）が得られると、この出力値（ｘ，ｙ，ｚ）の変化分（Δｘ，Δｙ，Δｚ）を求め、基本となる対応テーブルから換算される、出力値（ｘ，ｙ，ｚ）に対応した第２の色センサ（オフラインセンサ）３の出力値（Ｘ，Ｙ，Ｚ）に対して、変化分（Δｘ，Δｙ，Δｚ）に対応した第２の色センサ３の値の変化分（補正量）ΔＸ，ΔＹ，ΔＺにより加減算補正して、最終的に、第２の色センサ３の値（Ｘ´，Ｙ´，Ｚ´）に換算している。
【００８９】
しかし、このとき用いる補正量は、上記の変化分対応テーブルから得られる変化分ΔＸ，ΔＹ，ΔＺに限るものではない。つまり、同一の色に対して、第１の色センサ１の測色値ａ1と第２の色センサ３の測色値ｂ1とが得られれば、第１の色センサ１の測色値ａ1に対しては、基本となる対応テーブルから第２の色センサ３により測色した場合の測色値ｂ´1を換算することができ、この第２の色センサ３のものに換算した測色値ｂ´1と、実測した第２の色センサによる測色値ｂ1との偏差Δｂ（＝ｂ1−ｂ´1）を求めることができる。そこで、この偏差Δｂを補正量として、その後測定される第１の色センサ１の測色値ａを第２の色センサ３により測色した場合の測色値ｂに換算する場合には、この偏差Δｂだけ補正（つまり、ｂをΔｂだけ加算補正）した値ｂ´（＝ｂ＋Δｂ）を、換算値としてもよい。
【００９０】
このように、補正量は上記の実施形態のものに限定されない。
また、補正量を求めることなく、第１の色センサ１の測色値ａから第２の色センサ３により測色した場合の測色値ｂ´を換算することもできる。例えば、第１の色センサ１の測色値ａと第２の色センサ３の測色値ｂとの対応関係を、第１の色センサ１の測色値の集合Ａから第２の色センサ３の測色値の集合Ｂへの写像ｆ、あるいは、第１の色センサ１の測色値ａと第２の色センサ３の測色値ｂとは、関数ｆ［つまり、ｂ＝ｆ（ａ）］の関係があるものと考えることができる。なお、各測色値ａ，ｂは所要の次数（例えば、３次又は４次）の元を有するものとする。
【００９１】
例えば、測色値集合Ａ又は測色値集合Ｂの部分集合Ａｐ，Ｂｐに着目すると、関数ｆ［ｂ＝ｆ（ａ）］を、よりシンプルに、ｂ＝α（ａ）＋β（以下、式Ｆとする）と考え、α及びβの一方を固定し他方を印刷条件に応じて変更するものとする。この場合、実際の各測色値ａ0，ｂ0が測定されれば、この測定値ａ0，ｂ0を式Ｆに代入し、α及びβのうちの印刷条件に応じて変更するものを定めることができ、その後は、式Ｆを用いて、印刷しながら得られる第１の色センサ１の測色値ａから第２の色センサ３により測色した場合の測色値ｂ´を換算することができる。つまり、補正量を求めることなく、測色値を換算することができる。
【産業上の利用可能性】
【００９２】
本発明は、インキを転写して印刷を行なう印刷機による印刷産業に広く適用することができる。
【符号の説明】
【００９３】
１  第１の色センサ（オンラインセンサ）
２  カラースケール（色再現範囲を網羅した多数のパッチが組み合わされてなる測色用絵柄）
３  第２の色センサ（オフラインセンサ）
【図１】
2010281730.tif 000003
【図２】
2010281730.tif 000004
【図３】
2010281730.tif 000005
【図６】
2010281730.tif 000006
【図７】
2010281730.tif 000007
【図８】
2010281730.tif 000008
【図９】
2010281730.tif 000009
【図４】
2010281730.tif 000010
【図５】
2010281730.tif 000011